(57)【要約】      （修正有）【課題】組み立て式の水素発生装置を提供する。【解決手段】容器２２と、本体２０と、少なくとも１つの付属品とを備える。容器２２はボトル２２０及び上蓋２２２を含む。ボトル２２０は少なくとも１つの内部空間２２０Ａ及び少なくとも１つの電解ユニット２２０Ｂで構成される。少なくとも１つの電解ユニット２２０Ｂは少なくとも１つの内部空間２２０Ａに設置される。上蓋２２２は、少なくとも１つの内部空間２２０Ａに連通される少なくとも１つの開口部２２２Ａを有する。本体２０は容器２２に連結され、容器２２に電力を提供する。少なくとも１つの付属品は少なくとも１つの管状体２４１を介して容器２２の上蓋２２２の少なくとも１つの開口部２２２Ａに連結される。【選択図】図２
0003205107.tif 000002
【実用新案登録請求の範囲】
【請求項１】
容器と、
前記容器に連結され、前記容器に電力を提供する本体と、
少なくとも１つの管状体を介して前記容器の上蓋の少なくとも１つの開口部に連結される少なくとも１つの付属品と、を備え、
前記容器は、ボトルと、少なくとも１つの内部空間に連通される少なくとも１つの開口部を有する上蓋と、をさらに含み、
前記ボトルは、少なくとも１つの内部空間と、前記少なくとも１つの内部空間に設置される少なくとも１つの電解ユニットと、をさらに含むことを特徴とする、
組み立て式の水素発生装置。
【請求項２】
前記本体は前記容器に電気的に接続されることを特徴とする、請求項１に記載の組み立て式の水素発生装置。
【請求項３】
前記少なくとも１つの開口部は前記少なくとも１つの内部空間に共に連通されることを特徴とする、請求項１に記載の組み立て式の水素発生装置。
【請求項４】
前記容器は、前記ボトルの前記少なくとも１つの内部空間に設置され、内部空間を隔離させて複数の内部空間を形成させるための少なくとも１つのスペーサー層を更に備えることを特徴とする、請求項１に記載の組み立て式の水素発生装置。
【請求項５】
複数の前記開口部は前記複数の内部空間にそれぞれ連通されることを特徴とする、請求項４に記載の組み立て式の水素発生装置。
【請求項６】
前記少なくとも１つの電解ユニットは、縦方向或いは横方向に設置される少なくとも１つの第一電解板及び少なくとも１つの第二電解板を備えることを特徴とする、請求項４に記載の組み立て式の水素発生装置。
【請求項７】
前記容器は、前記第一電解板と前記第二電解板との間に設置される少なくとも１つの薄膜を更に備えることを特徴とする、請求項６に記載の組み立て式の水素発生装置。
【請求項８】
前記少なくとも１つの付属品は経鼻チューブ、アイマスク或いはマスクを含むことを特徴とする、請求項１に記載の組み立て式の水素発生装置。
【請求項９】
前記少なくとも１つの管状体は複数の連通管を備え、その第一端は前記少なくとも１つの開口部に連結され、その第二端は前記少なくとも１つの付属品にそれぞれ連結されることを特徴とする、請求項８に記載の組み立て式の水素発生装置。
【請求項１０】
前記本体は、少なくとも１つの機能キーからなるユーザーインターフェイスと、前記ユーザーインターフェイスに電気的に接続される論理制御ユニットと、前記論理制御ユニットに電気的に接続される少なくとも１つの電源供給ユニットと、前記少なくとも１つの電源供給ユニット及び前記容器に電気的に接続される少なくとも１つの接続ポートと、を備えることを特徴とする、請求項１に記載の組み立て式の水素発生装置。
【考案の詳細な説明】
【技術分野】
【０００１】
本考案は、組み立て式の水素発生装置に関する。
【背景技術】
【０００２】
現代人は生活が忙しく、情緒不安定になりがちであるため、多くの人がリラックス方法を追求して、心身の向上を図っている。使用者が水素機器を利用して水分子を電解した後に水素及び酸素を発生させ、吸入、飲用或いは吸収する方法が、近年広く利用されている。
【０００３】
図１は従来の水素機器の使用状態を示す概略図である。水素機器１は本体１０及び電解装置１２を備える。使用者が水素機器１を使用する場合、電解装置１２を本体１０の電解装置接続ポートに電気的に接続させて、本体１０から電力を電解装置１２に内設される陽極及び陰極の２枚の電解板に供給させる必要があり、これにより水を電解させて水素及び酸素を発生させる。
【考案の概要】
【考案が解決しようとする課題】
【０００４】
上述したように、水素及び酸素の吸入或いは吸収は機能上、水素及び酸素が大気中に直接揮発されて、密閉された空間内にいる使用者が吸入或いは吸収を行う。しかしながら、水素及び酸素の吸入或いは吸収の効果は、往々にして空間の大きさが問題になり、より好ましい効果を達成できないことがある。
【０００５】
そこで、本考案者は上記の欠点が改善可能と考え、鋭意検討を重ねた結果、合理的設計で上記の課題を効果的に改善する本考案の提案に到った。
【０００６】
本考案は、以上の従来技術の課題を解決する為になされたものである。即ち、本考案の主な目的は、上述の問題を解決するために、組み立て式の水素発生装置を提供することにある。
【課題を解決するための手段】
【０００７】
上述した課題を解決し、目的を達成するための本考案に係る組み立て式の水素発生装置は、容器と、本体と、少なくとも１つの付属品とを備え、容器はボトル及び上蓋を含み、ボトルは少なくとも１つの内部空間及び少なくとも１つの電解ユニットからなる。
少なくとも１つの電解ユニットは少なくとも１つの内部空間に設置され、上蓋は、少なくとも１つの内部空間に連通される少なくとも１つの開口部を有し、本体は容器に連結され、容器に電力を供給する。少なくとも１つの付属品は少なくとも１つの管状体を介して容器の上蓋の少なくとも１つの開口部に連結される。
【考案の効果】
【０００８】
本考案は使用者が水素機器に容器、本体及び付属品を容易に結合でき、組み立て式の水素発生装置が形成され、使用者が水素機器を使用して吸入、飲用或いは吸収が簡単に行えるという効果を有する。
【図面の簡単な説明】
【０００９】
【図１】従来の水素機器の使用状態を示す概略図である。
【図２】本考案の第１実施形態による組み立て式の水素発生装置を示す概略図である。
【図３Ａ】本考案の各種実施形態による組み立て式の水素発生装置を示す概略図である。
【図３Ｂ】本考案の各種実施形態による組み立て式の水素発生装置を示す概略図である。
【図３Ｃ】本考案の各種実施形態による組み立て式の水素発生装置を示す概略図である。
【図４】本考案の組み立て式の水素発生装置により多機能水素機器本体を組み合わせる概略図である。
【図５Ａ】本考案の組み立て式の水素発生装置に薄膜を設置する断面を示す概略図である。
【図５Ｂ】本考案の組み立て式の水素発生装置に薄膜を設置する断面を示す概略図である。
【考案を実施するための形態】
【００１０】
本考案における好適な実施の形態について、添付図面を参照して説明する。尚、以下に説明する実施の形態は、実用新案登録請求の範囲に記載された本考案の内容を限定するものではない。また、以下に説明される構成の全てが、本考案の必須要件であるとは限らない。
【実施例】
【００１１】
（第１実施形態）
図２は本考案の第１実施形態による組み立て式の水素発生装置を示す概略図である。組み立て式の水素発生装置２は、本体２０と、容器２２と、少なくとも１つの付属品２４とを備える。
容器２２はボトル２２０及び上蓋２２２を含む。ボトル２２０は少なくとも１つの内部空間２２０Ａ及び少なくとも１つの電解ユニット２２０Ｂで構成される。少なくとも１つの電解ユニット２２０Ｂは少なくとも１つの内部空間２２０Ａに設置される。上蓋２２２は、少なくとも１つの内部空間２２０Ａに連通される少なくとも１つの開口部２２２Ａを有する。
本体２０は容器２２に連結され、容器２２に電力を供給する。少なくとも１つの付属品２４は少なくとも１つの管状体２４１を介して容器の上蓋２２２の少なくとも１つの開口部２２２Ａに連結される。
【００１２】
さらに、ボトル２２０の底部にはポンプ（図示せず）が設置され、容器２２内の水が電解された後に発生する水素及び酸素が、少なくとも１つの管状体２４１を通って少なくとも１つの付属品２４に輸送される。
【００１３】
図３Ａ乃至図３Ｃは本考案の各種実施形態による組み立て式の水素発生装置を示す概略図である。
少なくとも１つの付属品２４、２５、２６はアイマスク、経鼻チューブ或いはマスクを含む。容器の上蓋２２２には単一の開口部２２２Ａ或いは複数の開口部２２２Ａ、２２２Ｂ、２２２Ｃが設置され、上述の少なくとも１つの管状体２４１、２５１、２６１への連結に使用される。容器の上蓋２２２は複数の開口部２２２Ａ、２２２Ｂ、２２２Ｃとして設置され、複数の開口部２２２Ａ、２２２Ｂ、２２２Ｃは少なくとも１つの内部空間２２０Ａに共に連通される形態で設置され、且つ複数本の管状体２４１、２５１、２６１により開口部２２２Ａ、２２２Ｂ、２２２Ｃ及び付属品２４、２５、２６にそれぞれ連結される（図３Ａ参照）。或いは、複数の連通管を備える管状体２７１の一端が単一の開口部２２２Ａに連結され、他端が複数の付属品２４、２５、２６にそれぞれ連結される（図３Ｂ参照）。若しくは、少なくとも１つのスペーサー層２２４Ａ、２２４Ｂがボトル２２０の少なくとも１つの内部空間２２０Ａに設置され、容器２２内を隔離させて複数の内部空間２２０Ａ１、２２０Ａ２、２２０Ａ３を形成させる。
更には、複数の開口部２２２Ａ、２２２Ｂ、２２２Ｃが複数の内部空間２２０Ａ１、２２０Ａ２、２２０Ａ３にそれぞれ連通される（図３Ｃ参照）。これにより、使用者は需要に応じて本考案に係る組み立て式の水素発生装置３を選択的により便利に使用できる。また、図３Ｃの実施形態において、複数の内部空間２２０Ａ１、２２０Ａ２、２２０Ａ３が隔離されて形成された後は、容器２２内には使用者が電解したい異なる種類の液体を必要に合わせて入れることができる。ちなみに、図３Ｃの実施形態において、少なくとも１つのスペーサー層２２４Ａ、２２４Ｂを設置し易くするため、少なくとも１つの電解ユニット２２０Ｂの形状が長形状に設計され、少なくとも１つの電解ユニット２２０Ｂが各内部空間２２０Ａ１、２２０Ａ２、２２０Ａ３に設置し易くなる。このほか、本考案の実施形態によると、開口部の数量及び管状体の数量は実際の需要に合わせて設計でき、本考案ではその数量は制限されない。
【００１４】
図４は本考案の組み立て式の水素発生装置に多機能水素機器本体を組み合わせる概略図である。
多機能水素機器の機能及び原理は出願者の台湾実用新案登録出願第１０４２２０３１９号公報に記載されるように、多用途の機能に対応する電解装置４３、４５が同一の水素機器本体４１に統合され、本考案に係る組み立て式の水素発生装置は多機能水素機器の本体に結合された後、使用者の需要に応じて水素機器の各種機能をより便利に使用できる。また、組み立て式の水素発生装置の容器については、上蓋と、ボトルと、底部台座とを備えるモジュール化形態に設計され、上蓋及び底部台座はボトルの上下両端にそれぞれ結合され、且つ少なくとも１つの電解ユニットが底部台座に設置され、ボトルの内部空間の水に対して電解反応を発生させて水素及び酸素を発生させる。
このほか、少なくとも１つの電源供給ユニットが容器の底部台座に設置され、使用者が携帯して外出する際に水素機器の本体から給電する必要が無くなる。これにより、モジュール化された組み立て式の水素発生装置は、使用者にとって、水素機器を組み立てて使用するのが便利になるのみならず、携帯が便利になる効果を更に有する。
【００１５】
上述したように、組み立て式の水素発生装置に多機能水素機器の本体が結合されると、多機能水素機器の電解装置４３、４５が本案組み立て式の水素発生装置の電解ユニット２２０Ｂに相当するが、両者の設置位置は異なる。すなわち、多機能水素機器の電解装置４３、４５は外付け方式により水素機器本体に連結され、本考案に係る組み立て式の水素発生装置は電解ユニット２２０Ｂが容器の内部空間に設置される。このため、組み立て式の水素発生装置に多機能水素機器の本体が結合される場合、構造及び連結方式に若干の改修が必要である。
【００１６】
さらに、組み立て式の水素発生装置４の本体４１はユーザーインターフェイス４１１と、論理制御ユニット（図示せず）と、少なくとも１つの電源供給ユニット（図示せず）と、少なくとも１つの接続ポート４１２Ａ、４１２Ｂ、４１２Ｃとを備える。
ユーザーインターフェイス４１１は少なくとも１つの機能キーを含む。論理制御ユニットはユーザーインターフェイス４１１に電気的に接続される。少なくとも１つの電源供給ユニットは論理制御ユニットに電気的に接続される。少なくとも１つの接続ポート４１２Ａ、４１２Ｂ、４１２Ｃは少なくとも１つの電源供給ユニット及び容器２２に電気的に接続され、少なくとも１つの付属品２４は少なくとも１つの管状体２４１を介して容器の上蓋２２２の少なくとも１つの開口部２２２Ａに連結される。同じ部材及び構造の連結関係は上述の組み立て式の水素発生装置の実施形態に記載されているため、再述はしない。また、多機能水素機器の詳細な部材及びその作動原理は前記実用新案登録出願案の内容を参照し、再述は省く。
【００１７】
図５Ａ及び図５Ｂは本考案の組み立て式の水素発生装置に薄膜を設置する断面を示す概略図である。
説明を分かりやすくするため、図５Ａ及び図５Ｂには容器のボトルの下半部のみ図示する。少なくとも１つの電解ユニット２２０Ｂは少なくとも１つの第一電解板２２０Ｂ１及び少なくとも１つの第二電解板２２０Ｂ２を備える。図５Ａの第一電解板２２０Ｂ１及び第二電解板２２０Ｂ２は縦方向に設置され、図５Ｂの第一電解板２２０Ｂ１及び第二電解板２２０Ｂ２は横方向に設置される。
また、電解効率を高めるため、第一電解板２２０Ｂ１と第二電解板２２０Ｂ２との間には少なくとも１つの薄膜２２６が設置される。薄膜２２６は高い導電係数を有するため、電解板の間の電場の強度が強化され、導電率が更に上昇する。また、第一電解板２２０Ｂ１と第二電解板２２０Ｂ２との間に設置される少なくとも１つの薄膜２２６及び少なくとも１つのスペーサー層２２４Ａは、生成された水素分子及び酸素分子を隔絶させるために使用される。これは、第一電解板２２０Ｂ１及び第二電解板２２０Ｂ２にある内部空間に発生する水素分子及び酸素分子が混合するのを防ぐためであり、こうすることで電解効率が高まる。
【００１８】
以上のとおり、本考案は使用者が水素機器を容器、本体及び付属品に容易に結合することができ、組み立て式の水素発生装置が形成され、使用者が水素機器を使用して吸入、飲用或いは吸収するのが便利になる効果を有する。
【００１９】
上述の実施形態は本考案の技術思想及び特徴を説明するためのものにすぎず、当該技術分野を熟知する者に本考案の内容を理解させると共にこれをもって実施させることを目的とし、本考案の請求の範囲を限定するものではない。従って、本考案の精神を逸脱せずに行う各種の同様の効果をもつ改良又は変更は、後述の請求項に含まれるものとする。
【符号の説明】
【００２０】
１  水素機器
１０  本体
１２  電解装置
２  組み立て式の水素発生装置
３  組み立て式の水素発生装置
４  組み立て式の水素発生装置
２０  本体
２２  容器
２２０  ボトル
２２０Ａ  内部空間
２２０Ａ１  内部空間
２２０Ａ２  内部空間
２２０Ａ３  内部空間
２２０Ｂ  電解ユニット
２２０Ｂ１  第一電解板
２２０Ｂ２  第二電解板
２２２  上蓋
２２２Ａ  開口部
２２２Ｂ  開口部
２２２Ｃ  開口部
２２４Ａ  スペーサー層
２２４Ｂ  スペーサー層
２２６  薄膜            
２４、２５、２６  付属品
２４１  管状体
２５１  管状体
２６１  管状体
２７１  管状体
４１  本体
４１１  ユーザーインターフェイス
４１２Ａ  接続ポート
４１２Ｂ  接続ポート
４１２Ｃ  接続ポート
４３  電解装置
４５  電解装置
【図１】
0003205107.tif 000003
【図２】
0003205107.tif 000004
【図３Ａ】
0003205107.tif 000005
【図３Ｂ】
0003205107.tif 000006
【図３Ｃ】
0003205107.tif 000007
【図４】
0003205107.tif 000008
【図５Ａ】
0003205107.tif 000009
【図５Ｂ】
0003205107.tif 000010